(57)【要約】【課題】取付台座同士が上下にわずかな隙間を介して設置される場合であっても、これらのカバーを容易に取り外すことができ、しかも意匠性を損なう心配もない取付台座の設置構造を提供する。【解決手段】本発明は、ドア(１２)に固定される台座本体(１８)と、その台座本体(１８)の表面を覆うように取り付けられるカバー(２０)とからなる上部取付台座(１０ａ)及び下部取付台座(１０ｂ)の上下一対で構成された取付台座の設置構造において、前記上部及び下部の各取付台座(１０ａ，１０ｂ)は、正面四角形状に形成されると共に、前記台座本体(１８)の四周木口を覆う前記カバー(２０)の側壁(２０ｂ)の角部に、工具先端差込用の切欠部(２２)が設けられていることを特徴とする。【選択図】図１
2014224405.tif 000002
【特許請求の範囲】
【請求項１】
ドア(１２)に固定される台座本体(１８)と、その台座本体(１８)の表面を覆うように取り付けられるカバー(２０)とからなる上部取付台座(１０ａ)及び下部取付台座(１０ｂ)の上下一対で構成された取付台座の設置構造において、
前記上部及び下部の各取付台座(１０ａ，１０ｂ)は、正面四角形状に形成されると共に、
前記台座本体(１８)の四周木口を覆う前記カバー(２０)の側壁(２０ｂ)の角部に、工具先端差込用の切欠部(２２)が設けられている、
ことを特徴とする取付台座の設置構造。
【請求項２】
前記切欠部(２２)が、上部取付台座(１０ａ)及び下部取付台座(１０ｂ)の相対する角にそれぞれ設けられていることを特徴とする請求項１に記載の取付台座の設置構造。
【請求項３】
前記切欠部(２２)が、ドア(１２)の戸先側に設けられていることを特徴とする請求項１又は２に記載の取付台座の設置構造。
【発明の詳細な説明】
【技術分野】
【０００１】
本発明は、ドアにレバーハンドルやノブ或いは鍵などを取り付けるための取付台座に関し、特に、その形状を含む設置構造に関するものである。
【背景技術】
【０００２】
従来より、取付台座として種々のものが提案されており、その構造としては特許文献１及び２に示されているように、ドアに固定される樹脂製の台座本体と、この台座本体に嵌め合わされる金属製のカバーとで構成されたものが主流である。
【０００３】
このような取付台座において、ドアに取り付けた取付台座、とりわけカバーを取り外す際の技術に関し、特許文献３には、正面円形状のカバーに係合突起及び工具差込用凹部を設け、同じく正面円形状の台座本体に係合凹部及び工具受け入れ用凹部を設けたものが、従来例として挙げられている。
【先行技術文献】
【特許文献】
【０００４】
【特許文献１】特許第２８５５３１９号公報
【特許文献２】特許第２８６４３６０号公報
【特許文献３】実公平６−４０２９５号公報
【発明の概要】
【発明が解決しようとする課題】
【０００５】
上記従来の取付台座において、レバーハンドル用のものと錠用のものとが別個独立しており、略同形同大の取付台座を１ｃｍ程の隙間を介して上下に近接した状態で設置する構造のものが有る。
【０００６】
ここで、かかる設置構造の取付台座では、カバーに設けた工具差込用凹部が目立たないようにする(つまり、意匠性を損なわないようにする)ため、取付台座の正面形状が円形であるか四角形であるかに関わらず、当該凹部が取付台座の下部中央に配置されるように設置するのが一般的である。このため、上記のように設置された取付台座をリフォームなどでドアから取り外す際、下側に設置した取付台座の取り外しについては特に問題はないが、上側に設置した取付台座では、上側の取付台座と下側の取付台座との隙間が１ｃｍ程しかないため、マイナスドライバーなどの工具の先端を工具差込用凹部に挿入するのが困難であるという問題があった。また、取り外す場合に、下側の取付台座と工具が干渉し、下側の取付台座を傷つけるという問題があった。特に、下側の取付台座がレバーハンドル用のものである場合には、先ずレバーハンドルを取り外すことから始めなければならず、作業がより複雑になるという問題があった。
【０００７】
それゆえに、本発明の主たる課題は、取付台座同士が上下にわずかな隙間を介して設置される場合であっても、これらのカバーを容易に取り外すことができ、しかも意匠性を損なう心配もない取付台座の設置構造を提供することである。
【課題を解決するための手段】
【０００８】
上記の課題を解決するため、本発明は、図１から図４に示すように、取付台座の設置構造１０を次のように構成した。
【０００９】
ドア１２に固定される台座本体１８と、その台座本体１８の表面を覆うように取り付けられるカバー２０とからなる上部取付台座１０ａ及び下部取付台座１０ｂが上下一対にて設置される。
前記上部及び下部の各取付台座１０ａ，１０ｂは、正面四角形状に形成されると共に、前記台座本体１８の四周木口を覆う前記カバー２０の側壁２０ｂの角部に、工具先端差込用の切欠部２２が設けられる。
【００１０】
この発明では、上部及び下部の各取付台座１０ａ，１０ｂが、正面四角形状に形成され、且つ台座本体１８の四周木口を覆うカバー２０の側壁２０ｂの角部に、工具先端差込用の切欠部２２が設けられるので、その切欠部２２にマイナスドライバーなどの工具の先端を差し込んで各取付台座１０ａ，１０ｂのカバー２０を取り外す際に、各取付台座１０ａ，１０ｂが干渉して邪魔になる心配はない。
【００１１】
また、切欠部２２が正面四角形状に形成されたカバー２０の角部に設けられることから、この切欠部２２をカバー２０の側壁２０ｂの辺部中央などに設ける場合に比べて目立たなくすることができ、ドア１２に設置した際に意匠性が低下するのを防止することができる。
【００１２】
なお、本発明においては、前記切欠部２２を、上部取付台座１０ａ及び下部取付台座１０ｂの相対する角にそれぞれ設けるのが好ましい。これにより、カバー部材２０における側壁２０ｂの角部に設けられた切欠部２２をより目立たなくすることができる。
【００１３】
また、本発明においては、前記切欠部２２を、ドア１２の戸先側に設けるのが好ましい。こうすることで、切欠部２２への工具先端のアクセスがより一層容易になり、さらに効率よく取付台座１０ａ，１０ｂ(とりわけ、カバー２０)の取り外し作業を行なうことができるようになる。
【発明の効果】
【００１４】
本発明によれば、取付台座同士が上下にわずかな隙間を介して設置される場合であっても、これらのカバーを容易に取り外すことができ、しかも意匠性を損なう心配もない取付台座の設置構造を提供することができる。
【図面の簡単な説明】
【００１５】
【図１】本発明における取付台座の設置構造の一例を示す説明図である。
【図２】本発明の取付台座の設置構造に用いられる取付台座の一例を示す図で、（ａ）は取付台座を正面側から看た斜視図、（ｂ）は（ａ）におけるＡ−Ａ断面図である。
【図３】本発明の取付台座の設置構造に用いられる取付台座の一例を示す図で、（ａ）は台座本体の背面図、（ｂ）はカバーの背面図、（ｃ）は台座本体にカバーを取り付けた状態を示す背面図である。
【図４】本発明の取付台座の設置構造のバリエーションを示す説明図である。
【発明を実施するための形態】
【００１６】
以下、本発明を図示実施例に従って説明する。
図１は、本発明における取付台座の設置構造１０の一例を示す図である。この図が示すように、本発明の取付台座の設置構造１０は、ドア１２表面の所定位置にレバーハンドル１４や鍵１６などを取り付ける際に使用する部材の設置構造であって、上部取付台座１０ａ及び下部取付台座１０ｂが若干の隙間(具体的には１ｃｍ前後)を開けて上下一対で設置される。なお、図示実施例では、上部取付台座１０ａを錠用のもの、下部取付台座１０ｂをレバーハンドル用のものとしているが、これらの上下を入れ替えるようにしてもよい。
【００１７】
また、本発明の取付台座の設置構造１０を形成する上部取付台座１０ａ及び下部取付台座１０ｂは、図２及び図３で示すように、ドア１２に固定される台座本体１８と、その台座本体１８の表面を覆うように取り付けられるカバー２０とで大略構成される。
【００１８】
台座本体１８は、ドア１２の表面に直接固定される板状の部材で、ナイロンやポリオレフィン或いはポリエステル等の樹脂で形成される。本発明では、台座本体１８(ひいては取付台座１０)の正面形状が四角形状、つまり正面四角形状にて形成されている。
【００１９】
この台座本体１８には、図３(ａ)で示すように、互いに対向する左右一組の側辺における高さ方向中央部に、台座本体１８側面の正面(表面)側が突出して一対の爪部１８ａが形成されている。
【００２０】
また、台座本体１８における当該爪部１８ａの背後の位置に、この台座本体１８の外縁に沿うようなスリット状の貫通孔１８ｂが穿設されている。このような貫通孔１８ｂを設けることにより、台座本体１８とカバー２０とを嵌め合わせる際に、爪部１８ａを台座本体１８中心方向へ移動させるのに必要な応力を軽減できる。
【００２１】
なお、図２及び図３中における符号１８ｃは、レバーハンドル１４や鍵１６などを取り付ける際に使用される軸孔であり、符号１８ｄは、この台座本体１８をドア１２にネジ止め等する際にネジが挿通されるネジ孔である。
【００２２】
カバー２０は、上記の台座本体１８の正面(表面)側からこれを覆うように取り付けられる部材で、亜鉛や真鍮などの金属を材料にしたダイカストや、合成樹脂を材料にした射出成形などを用いて成形される。このカバー２０は、台座本体１８の正面を覆う本体部２０ａと、該本体部２０ａの周縁に立設されて台座本体１８の四周木口を覆う側壁２０ｂとを有する。
【００２３】
また、台座本体１８にカバー２０を取り付けた際、台座本体１８の爪部１８ａに対応する側壁２０ｂの位置には、当該爪部１８ａが係止される係止溝２０ｃが凹設されており、側壁２０ｂの互いに隣接する左右一対の角部(より詳しくは角部の背面側)には、台座本体１８に嵌め合わせたカバー２０を当該台座本体１８から取り外す際に、図示しないマイナスドライバーなどの工具の先端を差し込むための(工具先端差込用の)切欠部２２が設けられている。
【００２４】
さらに、台座本体１８の軸孔１８ｃに対応する本体部２０ａの位置に軸孔２０ｄが穿設されている。
【００２５】
以上のように構成された上部取付台座１０ａ及び下部取付台座１０ｂをドア１２に取り付けて取付台座の設置構造１０を形成するためには、ドア１２の戸先側の所定の位置に、台座本体１８を、レバーハンドル１４や錠１６などと共に図示しないネジ等の固定具を用いて固定する。この際、台座本体１８は凡そ１ｃｍ程度の隙間を置いて上下に配置される(図１参照)。そして、ドア１２に固定された台座本体１８に表面側からカバー２０を嵌め込み、図３(ｃ)で示すように、台座本体１８の爪部１８ａがカバー２０の係止溝２０ｃに係止されれば、本実施形態の取付台座の設置構造１０が完成する。この際、図１で示すように、上部取付台座１０ａのカバー２０に設けられた切欠部２２と、下部取付台座１０ｂのカバー２０に設けられた切欠部２２とが両者間の隙間を介して相対するようにしてカバー２０を取り付ける。
【００２６】
これに対し、リフォームなどを行なうに当たり、上部取付台座１０ａ及び下部取付台座１０ｂからカバー２０を取り外す際には、ドア１２の戸先に最も近い距離にある戸先側の切欠部２２にマイナスドライバーなどの工具の先端を差し込んだ後、これを引き上げることで、台座本体１８からカバー２０を取り外すことができる。
【００２７】
本実施形態の取付台座の設置構造１０によれば、上部及び下部の各取付台座１０ａ，１０ｂが、正面四角形状に形成され、且つ台座本体１８の四周木口を覆うカバー２０の側壁２０ｂの角部に、工具先端差込用の切欠部２２が設けられるので、その切欠部２２に工具の先端を差し込んで各取付台座１０ａ，１０ｂのカバー２０を取り外す際に、各取付台座１０ａ，１０ｂが干渉して邪魔になる心配はなく、また、切欠部２２をカバー２０の側壁２０ｂの辺部中央などに設ける場合に比べて目立たなくすることができる結果、ドア１２に設置した際に意匠性が低下するのを防止することができる。
【００２８】
また、切欠部２２を上部取付台座１０ａ及び下部取付台座１０ｂの相対する角に設けているので、この切欠部２２をより目立たなくすることができるのに加え、切欠部２２をドア１２の戸先側に設けているので、切欠部２２への工具先端のアクセスがより一層容易になり、さらに効率よく取付台座１０ａ，１０ｂの取り外し作業を行なうことができるようになる。
【００２９】
なお、上述の実施形態では、図４(ｂ)で示すように、カバー２０の互いに隣接する左右一対の角部に切欠部２２を設け、この切欠部２２が上下に相対するようにカバー２０を取り付ける場合を示したが、カバー２０に設ける切欠部２２の数が図４(ａ)で示すように１つであってもよいし、図４(ｃ)で示すように４つ(すなわち３つ以上)であってもよい。
【００３０】
但し、カバー２０に設ける切欠部２２の数が１つの場合であっても、図４(ａ)で示すように、この切欠部２２を、上部取付台座１０ａ及び下部取付台座１０ｂの相対する角にそれぞれ設けるのが好ましいし、ドア１２の戸先側に設けるのが好ましい。
【００３１】
また、図４(ｃ)で示すように、上部取付台座１０ａ及び下部取付台座１０ｂの全ての角に切欠部２２を設けた場合、特に上部取付台座１０ａと下部取付台座１０ｂとが同形同大である場合には、台座本体１８にカバー２０を嵌め込む際に、カバー２０の種類や切欠部２２の向きに注意を払う必要がなくなるので、施工が簡単になると共に、取付台座の設置構造１０全体において、切欠部２２の配置が水平方向及び垂直方向の何れにおいてもシンメトリックとなるため、この切欠部２２を意匠として捉えることもできるようになる。
【符号の説明】
【００３２】
１０…取付台座の設置構造
１０ａ…上部取付台座
１０ｂ…下部取付台座
１２…ドア
１４…レバーハンドル
１６…鍵
１８…台座本体
１８ａ…爪部
１８ｂ…貫通孔
２０…カバー
２０ａ…本体部
２０ｂ…側壁
２０ｃ…係止溝
２２…切欠部
【図１】
2014224405.tif 000003
【図２】
2014224405.tif 000004
【図３】
2014224405.tif 000005
【図４】
2014224405.tif 000006